(57)【要約】【課題】客室の床面積を抑えつつ、清潔感があり、客室外部から聞こえる音を抑え、客室全体の住居性を向上できる宿泊施設の客室を提供すること。【解決手段】居室２と、浴室３と、トイレ４と、洗面台５と、が個別に配置され、床面積が１４．６５ｍ２乃至１８．６ｍ２の宿泊施設の客室１であって、この客室１の長手方向に沿って、この客室１の入口から居室２に至る通路６が配置され、浴室３は、通路６に面して配置され、トイレ４、および洗面台５は、通路６に面して配置され、かつ浴室３に通路６を挟んで対面して配置される。【選択図】図１
2008050792.tif 000002
【特許請求の範囲】
【請求項１】
居室と、浴室と、トイレと、洗面台と、が個別に配置され、床面積が１４．６５ｍ２乃至１８．６ｍ２の宿泊施設の客室であって、
この客室の長手方向に沿って、この客室の入口から前記居室に至る通路が配置され、
前記浴室は、前記通路に面して配置され、
前記トイレ、および前記洗面台は、前記通路に面して配置され、かつ前記浴室に前記通路を挟んで対面して配置されることを特徴とする宿泊施設の客室。
【請求項２】
請求項１に記載の宿泊施設の客室において、
前記居室には、ベッドと机が配置され、
前記ベッドと前記机との間には、前記通路と略一直線状に一体となる開放空間が形成されることを特徴とする宿泊施設の客室。
【請求項３】
請求項１または２に記載の宿泊施設の客室において、
前記トイレは、立設する間仕切り壁により仕切り形成され、
この間仕切り壁の少なくとも一部は、前記居室方向に面して立設し、かつ光透過性素材で形成された採光壁であることを特徴とする宿泊施設の客室。
【請求項４】
請求項３に記載の宿泊施設の客室において、
前記トイレには、便座が設けられ、
この便座は、この便座に着座したときに前記採光壁に面するように設けられることを特徴とする宿泊施設の客室。
【請求項５】
請求項１から４のいずれかに記載の宿泊施設の客室において、
前記客室の入口には、前記浴室側を吊り基とする片開き戸が設けられ、
前記浴室の入口には、前記居室側を吊り基とする片開き戸が設けられ、
前記トイレの入口には、前記客室の入口側に引き込まれる引き戸が設けられることを特徴とする宿泊施設の客室。
【請求項６】
請求項１から５のいずれかに記載の宿泊施設の客室において、
前記居室の床と、前記通路の床とは、互いに床仕上げ材が異なることを特徴とする宿泊施設の客室。
【請求項７】
請求項１から６のいずれかに記載の宿泊施設の客室において、
前記通路の床仕上げ材は、表面が平滑にされた磁器質であることを特徴とする宿泊施設の客室。
【請求項８】
請求項２に記載の宿泊施設の客室において、
前記洗面台には、略水平な面を形成する洗面台天板に洗面器が設けられ、
この洗面台天板の下面には、引き出しが設けられ、
この引き出しは、この引き出しの底部を形成する底板と、
この底板の側縁から引き出し方向に沿って立設し、互いに対面する２枚の側板と、
この底板の手前側の側縁から引き出し方向に略直交する方向に沿って立設する前面板と、
この底板の奥側の側縁から引き出し方向に略直交する方向に沿って立設する背板とからなり、
前記底板は、一端から前記前面板が立設する第１底板と、この第１底板より下方に設けられ、一端から前記背板が立設する第２底板と、前記第１底板の他端と前記第２底板の他端とに接続される塞ぎ板とから成ることを特徴とする宿泊施設の客室。
【請求項９】
請求項８に記載の宿泊施設の客室において、
前記机は、略水平な面を形成する机天板と、この机天板の下部に設けられ略垂直な面を形成する幕板とを有し、
前記机天板の上面は、前記洗面台天板の上面と略同一平面上に形成され、
前記幕板は、前記引き出しを閉めた状態の前記前面板と略同一平面上に形成され、
前記幕板の略鉛直方向の巾は、前記前面板の略鉛直方向の巾と略同一であることを特徴とする宿泊施設の客室。
【請求項１０】
請求項９に記載の宿泊施設の客室において、
前記机天板の下方には、冷蔵庫を覆う冷蔵庫収容ケースが設けられ、
前記幕板には、前記冷蔵庫の電源スイッチが設けられることを特徴とする宿泊施設の客室。
【請求項１１】
請求項２に記載の宿泊施設の客室において、
前記浴室は、略直方体に形成され、
前記浴室と前記ベッドとは、前記客室の長手方向に沿って、並べて配置され、
前記浴室と前記ベッドとの間には、前記浴室の短辺方向に沿って、化粧壁が形成され、
前記化粧壁は、前記浴室の長辺方向の面から突出した突出部分が形成され、
この突出部分の前記浴室側の面には、照明装置が設置されることを特徴とする宿泊施設の客室。
【請求項１２】
請求項１１に記載の宿泊施設の客室において、
前記化粧壁の前記ベッド側の面には、凹部が形成されることを特徴とする宿泊施設の客室。
【請求項１３】
請求項１から１２のいずれかに記載の宿泊施設の客室において、
前記客室の少なくとも一部は、前記客室の外部と内部を仕切る外壁に接し、
前記外壁に接する部分には、窓と、この窓の側縁に接した化粧壁ユニットとが設けられ、
前記化粧壁ユニットは、クローゼットと、前記外壁の少なくとも一部を覆う化粧パネルと、前記窓の前記客室内部側の面を覆う引き込み可能な遮光パネルが引き込まれて収容される遮光パネル収容部とが一体的に形成されていることを特徴とする宿泊施設の客室。
【発明の詳細な説明】
【技術分野】
【０００１】
本発明は、宿泊施設の客室に関する。詳しくは、居室と、浴室と、トイレと、洗面台と、が個別に配置された宿泊施設の客室に関する。
【背景技術】
【０００２】
従来より、宿泊施設の客室には、居室の他に、浴室、トイレ、および洗面台が設けられている。この宿泊施設の宿泊客は客室の外に出ることなく、入浴、排泄、および洗顔を行うことができるので、ゆっくり寛ぐことができる。
【０００３】
このような宿泊施設には、都市の繁華街や駅前等の交通の便の良い場所に建設され、主にビジネスマンの出張時の宿泊に利用されるビジネスホテルがある。すなわち、このビジネスホテルは、土地単価が高い場所に建設されるので、採算性を得るために、所定面積当たりの客室数をできるだけ多くする必要がある。また、このビジネスホテルの客室は、ビジネスマンに寝るためだけに利用される場合が多いので、シングルルームとされ、床面積が抑えられる。
【０００４】
よって、このようなビジネスホテルの客室には、床面積を抑えるために、浴室、トイレ、および洗面台として、身体洗い場がない、浴槽と洗面台とトイレが一室になったいわゆる３点式のユニットバスが設けられる。
【０００５】
ところが、このような３点式のユニットバスでは、浴槽内で身体を洗い、入浴する必要があり、非常に窮屈である。また、身体を清潔にする浴室と、排泄を行うトイレとが同じ部屋であるので、好ましくない。
【０００６】
そこで、部屋側壁のいずれか一方には、浴槽と身体洗い場から成る浴室と、トイレと洗面台とから成る洗面室が設けられ、他方には外部からの入口が設けられ、ベッドが設置されたホテル部屋内配置構造が提案されている（特許文献１参照）
このようなホテル部屋内配置構造によれば、浴槽と身体洗い場とを設けているので、入浴を浴槽内で行い、身体洗い場で身体を洗うことができる。また、浴室とトイレおよび洗面台から成る洗面室とを設けたので、浴室とトイレを分離できる。
【特許文献１】特開２００３−１２９６８１号公報
【発明の開示】
【発明が解決しようとする課題】
【０００７】
しかしながら、特許文献１のホテル部屋内配置構造では、部屋側壁のいずれか一方に浴室と、トイレと洗面台とから成る洗面室とを設けているので、浴室で身体を清潔にした後や洗面台で洗顔するときに、排泄場所であるトイレを通らなければならず必ずしも清潔でない。また、部屋側壁の他方には外部からの入口と、ベッドが設置されているので、ベッドに居ても入口を通して外部の音が聞こえてくる場合がある。
【０００８】
本発明は、客室の床面積を抑えつつ、清潔感があり、客室外部から聞こえる音を抑え、客室全体の住居性を向上できる宿泊施設の客室を提供することを目的とする。
【課題を解決するための手段】
【０００９】
本発明は、以下のようなものを提供する。
【００１０】
（１）  居室と、浴室と、トイレと、洗面台と、が個別に配置され、床面積が１４．６５ｍ２乃至１８ｍ２の宿泊施設の客室であって、この客室の長手方向に沿って、この客室の入口から前記居室に至る通路が配置され、前記浴室は、前記通路に面して配置され、前記トイレ、および前記洗面台は、前記通路に面して配置され、かつ前記浴室に前記通路を挟んで対面して配置されることを特徴とする宿泊施設の客室。
【００１１】
（１）の発明によれば、床面積が１４．６５ｍ２乃至１８．６ｍ２の宿泊施設の客室において、客室の入口から居室に至る通路を挟んで、トイレ、および洗面台と浴室とを個別に配置した。
よって、浴室で入浴した宿泊客は、トイレを通ることなく、通路を通って居室に行くことができる。また、トイレを通ることなく、居室から通路を通って、洗面台で洗顔や手洗いができる。さらに、居室と客室の入口との間に、浴室、通路、トイレ、および洗面台を配置したので、客室の入口から漏れる客室外部の音が居室に聞こえてくるのを抑えることができる。
したがって、客室の床面積を抑えつつ、清潔感があり、客室外部から聞こえる音を抑え、客室全体の住居性を向上できる。
【００１２】
また、入口から居室に至る通路に面して、浴室と、トイレおよび洗面台とを対面して配置しているので、客室の清掃をする者は、最小限の移動で、全ての水廻りの清掃を行うことができるので、宿泊施設の維持管理のための作業性が向上する。
【００１３】
（２）  （１）に記載の宿泊施設の客室において、前記居室には、ベッドと机が配置され、前記ベッドと前記机との間には、前記通路と略一直線状に一体となる開放空間が形成されることを特徴とする宿泊施設の客室。
【００１４】
（２）の発明によれば、居室に、ベッドと机を配置し、ベッドと机との間に、通路と略一直線状に一体となる開放空間を形成した。
よって、客室の入口から入った宿泊客に視覚的な広がりを与えることができるとともに、宿泊客の動作可能な空間を一体にしたことで、客室全体の住居性をより向上できる。
【００１５】
（３）  （１）または（２）に記載の宿泊施設の客室において、前記トイレは、立設する間仕切り壁により仕切り形成され、この間仕切り壁の少なくとも一部は、前記居室方向に面して立設し、かつ光透過性素材で形成された採光壁であることを特徴とする宿泊施設の客室。
【００１６】
（３）の発明によれば、トイレの間仕切り壁の少なくとも一部を居室方向に面して立設し、かつ光透過性素材で形成された採光壁としたので、閉塞感を感じ易いトイレを明るくし、客室全体の住居性をより向上できる。
【００１７】
（４）  （３）に記載の宿泊施設の客室において、前記トイレには、便座が設けられ、
この便座は、この便座に着座したときに前記採光壁に面するように設けられることを特徴とする宿泊施設の客室。
【００１８】
（４）の発明によれば、トイレの便座を、この便座に着座したときに採光壁に面するように設けたので、便座に着座したときの視界方向の採光壁から光が透過してくるので、閉塞感を感じ易いトイレをさらに明るく感じさせ、客室全体の住居性をより向上できる。
【００１９】
（５）  （１）から（４）のいずれかに記載の宿泊施設の客室において、前記客室の入口には、前記浴室側を吊り基とする片開き戸が設けられ、前記浴室の入口には、前記居室側を吊り基とする片開き戸が設けられ、前記トイレの入口には、前記客室の入口側に引き込まれる引き戸が設けられることを特徴とする宿泊施設の客室。
【００２０】
（５）の発明によれば、客室の入口に、浴室側を吊り基とする片開き戸を設け、浴室の入口に、居室側を吊り基とする片開き戸を設け、トイレの入口に、客室の入口側に引き込まれる引き戸を設けた。
よって、客室の片開き戸を開けた状態で、浴室の片開き戸を開ければ、客室の片開き戸が浴室の入口にかかることがない。また、トイレの入口が引き戸なので、この引き戸を開けた状態で、客室の入口にかかることがない。さらに、トイレの引き戸を、客室の入口側に引き込まれるようにしたので、浴室の入口とトイレの入口とを互いに近い位置に配置できる。
したがって、客室の清掃をする者は、清掃の妨げられることなく、極力少ない動作で作業を進めることができるので、宿泊施設の維持管理のための作業性がさらに向上する。
【００２１】
（６）  （１）から（５）のいずれかに記載の宿泊施設の客室において、前記居室の床と、前記通路の床とは、互いに床仕上げ材が異なることを特徴とする宿泊施設の客室。
【００２２】
（６）の発明によれば、居室の床と、通路の床とは、互いに床仕上げ材を異なるものとした。
よって、居室の空間と通路の空間を一体化して視覚的な広がりを与えつつも、それぞれの床仕上げ材が有する材質や色調の違いにより、これらの空間の違いを明確にできる。
したがって、客室に入室したときには、視覚的な広がりを与えつつ、居室に入ったときには、居室としての寛いだ雰囲気を醸すことができるので、客室全体の住居性をより向上できる。
【００２３】
（７）  （１）から（６）のいずれかに記載の宿泊施設の客室において、前記通路の床仕上げ材は、表面が平滑にされた磁器質であることを特徴とする宿泊施設の客室。
【００２４】
（７）の発明によれば、通路の床仕上げ材を表面が平滑にされた磁器質としたので、客室の入口を設け玄関室としても機能させる通路に高級感を与えることができるとともに、浴室、トイレ、および洗面台の清掃時の起点となる通路に水等を飛散させた場合でも、拭き取りや清掃が容易にできる。
【００２５】
（８）  （２）に記載の宿泊施設の客室において、前記洗面台には、略水平な面を形成する洗面台天板に洗面器が設けられ、この洗面台天板の下面には、引き出しが設けられ、この引き出しは、この引き出しの底部を形成する底板と、この底板の側縁から引き出し方向に沿って立設し、互いに対面する２枚の側板と、この底板の手前側の側縁から引き出し方向に略直交する方向に沿って立設する前面板と、この底板の奥側の側縁から引き出し方向に略直交する方向に沿って立設する背板とからなり、前記底板は、一端から前記前面板が立設する第１底板と、この第１底板より下方に設けられ、一端から前記背板が立設する第２底板と、前記第１底板の他端と前記第２底板の他端とに接続される塞ぎ板とから成ることを特徴とする宿泊施設の客室。
【００２６】
（８）の発明によれば、洗面台に洗面台天板と引き出しとを設け、この引き出しの底板を、一端から前面板が立設する第１底板と、この第１底板より下方に設けられ、一端から背板が立設する第２底板と、第１底板の他端と第２底板の他端とに接続される塞ぎ板とで構成した。
よって、手前側の引き出しの深さを浅くし、奥側の引き出しの深さを深くできるので、例えば、この引き出しに櫛とドライヤーを収納する場合は、この引き出しの手前側に、ドライヤーに比べて外径が小さい櫛を収納し、奥側に、櫛に比べて外径が大きいドライヤーを収納できるので、客室全体の住居性をより向上できる。
また、例えば、洗面台の前に椅子を設置し、洗面台に向かってこの椅子に座った場合、引き出しの手前側の深さが浅いので、引き出しに膝が当たることを防止できる。
【００２７】
（９）  （８）に記載の宿泊施設の客室において、前記机は、略水平な面を形成する机天板と、この机天板の下部に設けられ略垂直な面を形成する幕板とを有し、前記机天板の上面は、前記洗面台天板の上面と略同一平面上に形成され、前記幕板は、前記引き出しを閉めた状態の前記前面板と略同一平面上に形成され、前記幕板の略鉛直方向の巾は、前記前面板の略鉛直方向の巾と略同一であることを特徴とする宿泊施設の客室。
【００２８】
（９）の発明によれば、机は、机天板、および幕板とを有し、この机天板の上面を洗面台天板の上面と略同一平面上に形成し、この幕板を洗面台の引き出しを閉めた状態の前面板と略同一平面上に形成し、この幕板の略鉛直方向の巾を前面板の略鉛直方向の巾と略同一とした。
よって、机と洗面台とで形態の一体性を持たせることができるので、居室全体に秩序を与えることが可能となり、居室を広く感じさせることができ、客室全体の住居性をより向上できる。
【００２９】
（１０）  （９）に記載の宿泊施設の客室において、机天板の下方には、冷蔵庫を収容する冷蔵庫収容ケースが設けられ、前記冷蔵庫収容ケースには、開閉可能な扉が設けられ、前記幕板には、前記冷蔵庫の電源スイッチが設けられることを特徴とする宿泊施設の客室。
【００３０】
（１０）の発明によれば、机天板の下方に、冷蔵庫を収容する冷蔵庫収容ケースが設け、この冷蔵庫収容ケースには、開閉可能な扉を設け、机の幕板に冷蔵庫の電源スイッチを設けた。
よって、冷蔵庫を冷蔵庫収容ケースに収容し、扉を閉めることで、居室に響く冷蔵庫のモータ音を抑制することができる。また、さらに、冷蔵庫のモータ音が気になる場合は、机の幕板に冷蔵庫の電源スイッチを設けたので、扉を開けることなく、冷蔵庫の電源を落とすことができるので、客室全体の住居性をより向上できる。
さらに、冷蔵庫を冷蔵庫収容ケースに収容して扉を閉めることで、冷蔵庫のデザインに関わらず、居室全体のデザインの統一感を維持できる。
【００３１】
（１１）  （２）に記載の宿泊施設の客室において、前記浴室は、略直方体に形成され、前記浴室と前記ベッドとは、前記客室の長手方向に沿って、並べて配置され、前記浴室と前記ベッドの間には、前記浴室の短辺方向に沿って、化粧壁が形成され、前記化粧壁は、前記浴室の長辺方向の面から突出した突出部分が形成され、この突出部分の前記浴室側の面には、照明装置が設置されることを特徴とする宿泊施設の客室。
【００３２】
（１１）の発明によれば、浴室とベッドを客室の長手方向に沿って、並べて配置し、浴室とベッドの間には、浴室の短辺方向に沿って、化粧壁を形成し、この化粧壁に浴室の長辺方向の面から突出した突出部分を形成し、この突出部分の浴室側の面に、照明装置を設置した。
よって、ベッドの巾が浴室の短辺方向の巾より大きい場合でも、突出部分により、ベッドが客室の入口から見えないようにできる。また、この突出部分に照明装置を設置したので、浴室の長辺方向の面から突出していても不自然さを感じさせないとともに、客室の入口近傍を照らすことができるので、客室全体の住居性をより向上できる。
【００３３】
（１２）  （１１）に記載の宿泊施設の客室において、前記化粧壁の前記ベッド側の面には、凹部が形成されることを特徴とする宿泊施設の客室。
【００３４】
（１２）の発明によれば、化粧壁のベッド側の面に、凹部を形成したので、化粧壁の表面に変化を与え、デザイン性を向上できるとともに、宿泊客が就寝時に物を裁置するスペースを確保できるので、客室全体の住居性をより向上できる。
【００３５】
（１３）  （１）から（１２）のいずれかに記載の宿泊施設の客室において、前記客室の少なくとも一部は、前記客室の外部と内部を仕切る外壁に接し、前記外壁に接する部分には、窓と、この窓の側縁に接した化粧壁ユニットとが設けられ、前記化粧壁ユニットは、クローゼットと、前記外壁の少なくとも一部を覆う化粧パネルと、前記窓の前記客室内部側の面を覆う引き込み可能な遮光パネルが引き込まれて収容される遮光パネル収容部とが一体的に形成されていることを特徴とする宿泊施設の客室。
【００３６】
（１３）の発明によれば、窓の側縁に接した化粧壁ユニットとを設け、この化粧壁ユニットは、クローゼット、外壁の少なくとも一部を覆う化粧パネル、および窓の客室内部側の面を覆う引き込み可能な遮光パネルが引き込まれて収容される遮光パネル収容部とを一体的に形成した。
よって、居室全体のデザインの統一感を損なうことなく、クローゼットおよび遮光パネルの収容部を設けることができるので、客室全体の住居性をより向上できる。
【発明の効果】
【００３７】
本発明によれば、床面積が１４．６５ｍ２乃至１８ｍ２の宿泊施設の客室において、客室の入口から居室に至る通路を挟んで、トイレ、および洗面台と浴室とを個別に配置した。
よって、浴室で入浴した宿泊客は、トイレを通ることなく、通路を通って居室に行くことができる。また、トイレを通ることなく、居室から通路を通って、洗面台で洗顔や手洗いができる。さらに、居室と客室の入口との間に、浴室、通路、トイレ、および洗面台を配置したので、客室の入口から漏れる客室外部の音が居室に聞こえてくるのを抑えることができる。
したがって、客室の床面積を抑えつつ、清潔感があり、客室外部から聞こえる音を抑え、客室全体の住居性を向上できる。
【発明を実施するための最良の形態】
【００３８】
以下、本発明の第１実施形態について説明する。
＜第１実施形態＞
図１は、本発明の第１実施形態に係る宿泊施設の客室１の平面図である。
客室１は、短辺方向に延びる外壁１０ａと、この外壁１０ａと互いに対面する外壁１０ｃと、長辺方向に延びる戸境壁１０ｂと、この戸境壁１０ｂと互いに対面する戸境壁１０ｄとに仕切り形成されている。客室１は、ホテルの客室であり、シングルベッドが配置されたシングルルームである。
外壁１０ａには、後述する浴室３側を吊り基とする入口片開き戸１５が設置され、外壁１０ｃには、窓１１が設置されている。
この客室１の好ましい大きさは、戸境壁１０ｂおよび１０ｄの通り芯間Ｘ１が３１５０ｍｍ〜３４００ｍｍであり、外壁１０ａおよび１０ｃの通り芯間Ｙ１が４６５０ｍｍ〜５０００ｍｍである。すなわち、客室１は、床面積が１４．６５ｍ２乃至１７ｍ２で形成される。
【００３９】
また、客室１には、外壁１０ｃ、戸境壁１０ｂおよび戸境壁１０ｄに接する居室２と、入口片開き戸１５から居室２に至る通路６と、外壁１０ａおよび戸境壁１０ｂの一部と接し通路６に面する浴室３と、外壁１０ａおよび戸境壁１０ｄの一部と接し通路６に面するトイレ４と、戸境壁１０ｄ、居室２およびトイレ４の一部と接し通路６に面する洗面台５とが配置されている。
換言すると、トイレ４、および洗面台５は、通路６に面して配置され、かつ浴室３に通路６を挟んで対面して配置されている。
【００４０】
居室２には、戸境壁１０ｂ側にベッド２１が配置され、戸境壁１０ｄに机としてのカウンターテーブル２２が設けられている。このベッド２１とカウンターテーブル２２との間には、通路６と略一直線状に一体となる開放空間２４が形成されている。カウンターテーブル２２についての詳細は、後述する。
居室２の天井は、通路６の天井より床面からの高さが高く形成されている。
居室２の床２６は、フローリングが貼られることにより仕上げられている。一方、通路６の床６６は、表面が平滑にされた磁器質の床材としてセラミックタイルが貼られることにより仕上げられている。
換言すると、居室２の床２６と、通路６の床６６とは、互いに床仕上げ材が異なる。
【００４１】
ベッド２１は、客室１の長手方向に延びる戸境壁１０ｂに沿って、浴室３と並べて配置されている。ベッド２１は、シングルベッドである。ベッド２１は、短辺が浴室３に面し、長辺が戸境壁１０ｂに面するように配置されている。
このベッド２１の好ましい寸法は、短辺方向の寸法が１４００ｍｍであり、長辺方向の寸法が１９００ｍｍ〜２０００ｍｍである。
また、ベッド２１と浴室３との間には、浴室３の短辺方向に沿って、化粧壁７が形成されている。化粧壁７についての詳細は、後述する。
【００４２】
また、客室１には、戸境壁１０ｂ、外壁１０ｃ、および窓１１の側縁に接する化粧壁ユニット２７が設けられている。化粧壁ユニット２７についての詳細は、後述する。
【００４３】
浴室３は、ユニットバスであり、外壁１０ａ側に浴槽が配置され、居室２側に洗い場が配置されている。また、このユニットバスの入口には、居室２側を吊り基とする浴室片開き戸３５が設けられている。
このユニットバスの好ましい寸法は、短辺方向の寸法が１２００ｍｍであり、長辺方向の寸法が１６００ｍｍである。
【００４４】
図２は、本発明の第１実施形態に係るトイレ４の斜視図である。
トイレ４は、略矩形に形成され、間仕切り壁４１、戸境壁１０ｄ、および外壁１０ａとにより仕切り形成されている。また、トイレ４には、便座４２が設けられ、この便座４２は、この便座４２に着座したときに採光壁４１１に面するように設けられている。
このトイレ４の好ましい寸法は、短辺方向の寸法が１２００ｍｍであり、長辺方向の寸法が１６００ｍｍである。
【００４５】
間仕切り壁４１の通路６に面する部分には、外壁１０ａ側に引き込まれる引き戸４５が設けられている。
また、間仕切り壁４１の居室２側に面する部分には、採光壁４１１が設けられている。この採光壁４１１は、光透過性素材で形成されている。この光透過性素材としては、例えば、ガラスブロック、型ガラス、摺りガラス等がある。
【００４６】
図３は、本発明の第１実施形態に係るカウンターテーブル２２および洗面台５の斜視図である。
カウンターテーブル２２は、略水平な面を形成する机天板としてのテーブル天板２２１と、このテーブル天板２２１の下部に設けられ略垂直な面を形成する幕板２２２とを有する。
テーブル天板２２１は、洗面台天板５１と一体的に形成され、テーブル天板２２１の上面は、洗面台天板５１の上面と略同一平面上に形成されている。
幕板２２２は、後述する洗面台５の引き出し５３を閉めた状態の前面板５３４と略同一平面上に形成されている。また、幕板２２２の略鉛直方向の巾は、前面板５３４の略鉛直方向の巾と略同一である。
また、カウンターテーブル２２の上方の天井には、カウンターテーブル照明装置２２６が設けられている。
【００４７】
テーブル天板２２１の下方には、冷蔵庫２００（図１参照）を覆う略立方体の冷蔵庫収容ケース２３が設けられている。この冷蔵庫収容ケース２３の内部には、冷蔵庫２００が収容され、この冷蔵庫収容ケース２３の前面には、開閉自在の冷蔵庫収容扉２３１（図１参照）が設けられている。
また、カウンターテーブル２２の幕板２２２には、冷蔵庫２００の電源スイッチ２０１が設けられている。この電源スイッチ２０１を操作することで、冷蔵庫２００に電気を供給したり、電気の供給を止めることができる。
【００４８】
なお、カウンターテーブル２２には、テレビを設置することもできる。この場合、テレビの操作パネルを幕板２２２に設けることで、テレビの操作装置を居室２のいずれかに設置する必要がないので、居室２全体のデザインの統一感を損なうことなく、テレビの操作が可能となる。よって、客室１の居住性を向上できる。
【００４９】
洗面台５は、略水平な面を形成する洗面台天板５１に洗面器５２が設けられている。
また、洗面台天板５１の居室２側の側縁には、水滴等の飛散防止のための遮蔽板が、洗面台天板５１の上面から天井まで形成されている。この遮蔽板は、光透過性素材で形成されている。この光透過性素材としては、例えば、ガラスブロック、型ガラス、摺りガラス等がある。
また、洗面台天板５１の下面には、引き出し５３が設けられている。
【００５０】
図４は、本発明の第１実施形態に係る引き出し５３の断面図である。
引き出し５３は、この引き出し５３の底部を形成する底板５３１と、この底板５３１の側縁から引き出し方向５３ａに沿って立設し、互いに対面する２枚の側板５３２と、底板５３１の手前側の側縁から引き出し方向５３ａに略直交する方向に沿って立設する前面板５３４と、底板５３１の奥側の側縁から引き出し方向５３ａに略直交する方向に沿って立設する背板５３３とで構成されている。
底板５３１は、一端から前面板５３４が立設する第１底板５３１ａと、この第１底板５３１ａより下方に設けられ、一端から背板５３３が立設する第２底板５３１ｂと、第１底板５３１ａの他端と第２底板５３１ｂの他端とに接続される塞ぎ板５３１ｃとから形成されている。
【００５１】
図５は、本発明の第１実施形態に係る化粧壁７の斜視図である。
化粧壁７は、浴室３（図１参照）とベッド２１との間に、浴室３の短辺方向に沿って延出し、客室１の床面から通路６の天井と略同一の高さまで形成されている。
この化粧壁７は、この化粧壁７の略水平方向の巾が、ベッド２１の巾より大きくなるように形成されている。そして、浴室３の通路６に接する面から突出した部分には、突出部分７１が形成されている。この、
この突出部分７１の浴室３側の面には、略鉛直方向に沿って照明装置７１１が設置されている。
また、化粧壁７のベッド２１側の面には、箱状の凹部７１２が形成されている。この凹部７１２の底部には、略水平面が形成され、凹部７１２の上部には、手元灯７１５が設けられている。
また、化粧壁７の上端部には、間接照明装置７１６が設けられている。この間接照明装置７１６の照明色は、カウンターテーブル照明装置２２６（図３参照）の照明色と同系色である。これにより、居室２全体の雰囲気を統一することで、客室１の居住性を向上できる。
【００５２】
図６は、本発明の第１実施形態に係る化粧壁ユニット２７の斜視図である。
化粧壁ユニット２７は、箱状のクローゼット２７１と、ベッド２１近傍の外壁１０ｃの一部を覆う板状の化粧パネル２７２と、窓１１の客室１内部側の面を覆う引き込み可能な遮光パネル２７０が引き込まれて収容される遮光パネル収容部２７３とが一体的に形成されている。
クローゼット２７１は、戸境壁１０ｄの方向に開放可能なクローゼット扉が設けられている。
化粧パネル２７２は、クローゼット扉が設けられた部分から窓１１の側縁に向かって、外壁１０ｃの客室１内部側の面に沿って形成されている。
遮光パネル収容部２７３は、窓１１の横に、窓１１と略同一の高さに形成されている。
遮光パネル収容部２７３の表面は、化粧パネル２７２の表面と略同一平面上に形成されている。
【００５３】
また、化粧壁ユニット２７の表面とベッド２１との間には、所定のスペースが設けられている。
よって、宿泊施設を維持管理する者は、この所定のスペースで、ベッドメイキングを行うことができる。例えば、一つ一つの作業時間の差が微差であったとしても、宿泊施設の客室が１５０室あった場合、宿泊施設全体のベッドメイキングを行うとその作業時間の差は多大なものとなる。
したがって、宿泊施設の運営上の経済性を向上できる。
【００５４】
また、窓１１の上部には、ロールスクリーン２８０が設けられている。
このロールスクリーン２８０は、布と、この布の端部でこの布を支持する支持棒と、この布を巻き取る巻き取り装置とで構成されている。
よって、支持棒を窓１１の下方に引き下げることで、布により窓１１からの視界を遮ることができる。また、布を巻き取り装置に巻き取るとこで、窓１１からの視界を開放できる。
【００５５】
また、ロールスクリーン２８０は、布のみ交換可能である。
ここで、例えば、宿泊施設の運営において、各客室の窓にかけられてカーテン等は、約５年に一度交換する必要がある。この交換のための費用は、例えば、宿泊施設の客室が１５０室あった場合、多大なものとなる。
よって、窓１１に布のみ交換可能なロールスクリーン２８０を設けたので、布のみを交換することで、例えば、カーテンを設置しこのカーテンを交換した場合に比べて、交換のための費用を低廉にできる。
したがって、宿泊施設の運営上の経済性を向上できる。
【００５６】
本実施形態によれば、以下のような効果がある。
（１）床面積が１４．６５ｍ２乃至１８．６ｍ２の宿泊施設の客室１において、客室１の入口から居室２に至る通路６を挟んで、トイレ４、および洗面台５と浴室３とを個別に配置した。
よって、浴室３で入浴した宿泊客は、トイレ４を通ることなく、通路６を通って居室２に行くことができる。また、トイレ４を通ることなく、居室２から通路６を通って、洗面台５で洗顔や手洗いができる。さらに、居室２と客室１の入口との間に、浴室３、通路６、トイレ４、および洗面台５を配置したので、客室１の入口から漏れる客室外部の音が居室２に聞こえてくるのを抑えることができる。
したがって、客室１の床面積を抑えつつ、清潔感があり、客室外部から聞こえる音を抑え、客室全体の住居性を向上できる。
【００５７】
また、入口から居室２に至る通路６に面して、浴室３と、トイレ４および洗面台５とを対面して配置しているので、客室１の清掃をする者は、最小限の移動で、全ての水廻りの清掃を行うことができるので、宿泊施設の維持管理のための作業性が向上する。
【００５８】
（２）居室に、ベッドと机を配置し、ベッドと机との間に、通路と略一直線状に一体となる開放空間を形成した。
よって、客室１の入口から入った宿泊客に視覚的な広がりを与えることができるとともに、宿泊客の動作可能な空間を一体にしたことで、客室全体の住居性をより向上できる。
【００５９】
（３）トイレ４の間仕切り壁４１の少なくとも一部を居室２方向に面して立設し、かつ光透過性素材で形成された採光壁４１１としたので、閉塞感を感じ易いトイレを明るくし、客室全体の住居性をより向上できる。
【００６０】
（４）トイレ４の便座４２を、この便座４２に着座したときに採光壁４１１に面するように設けたので、便座４２に着座したときの視界方向の採光壁４１１から光が透過してくるので、閉塞感を感じ易いトイレをさらに明るく感じさせ、客室全体の住居性をより向上できる。
【００６１】
（５）客室１の入口に、浴室３側を吊り基とする入口片開き戸１５を設け、浴室３の入口に、居室２側を吊り基とする浴室片開き戸３５を設け、トイレ４の入口に、客室１の入口側に引き込まれる引き戸４５を設けた。
よって、客室１の入口片開き戸１５を開けた状態で、浴室３の浴室片開き戸３５を開ければ、入口片開き戸１５が浴室３の入口にかかることがない。また、トイレ４の入口が引き戸４５なので、この引き戸４５を開けた状態で、客室１の入口にかかることがない。さらに、トイレ４の引き戸４５を、入口片開き戸１５側に引き込まれるようにしたので、浴室３の入口とトイレ４の入口とを互いに近い位置に配置できる。
したがって、客室の清掃をする者は、清掃の妨げられることなく、極力少ない動作で作業を進めることができるので、宿泊施設の維持管理のための作業性がさらに向上する。
【００６２】
（６）居室２の床２６と、通路６の床６６とは、互いに床仕上げ材を異なるものとした。
よって、居室２の空間と通路６の空間を一体化して視覚的な広がりを与えつつも、それぞれの床仕上げ材が有する材質や色調の違いにより、これらの空間の違いを明確にできる。
したがって、客室に入室したときには、視覚的な広がりを与えつつ、居室に入ったときには、居室としての寛いだ雰囲気を醸すことができるので、客室全体の住居性をより向上できる。
【００６３】
（７）通路６の床仕上げ材を表面が平滑にされた磁器質としたので、客室１の入口を設け玄関室としても機能させる通路６に高級感を与えることができるとともに、浴室３、トイレ４、および洗面台５の清掃時の起点となる通路に水等を飛散させた場合でも、拭き取りや清掃が容易にできる。
【００６４】
（８）洗面台５に洗面台天板５１と引き出し５３とを設け、この引き出し５３の底板５３１を、一端から前面板５３４が立設する第１底板５３１ａと、この第１底板５３１ａより下方に設けられ、一端から背板５３３が立設する第２底板５３１ｂと、第１底板５３１ａの他端と第２底板５３１ｂの他端とに接続される塞ぎ板５３１ｃとで構成した。
よって、手前側の引き出しの深さを浅くし、奥側の引き出しの深さを深くできるので、例えば、この引き出しに櫛とドライヤーを収納する場合は、この引き出しの手前側に、ドライヤーに比べて外径が小さい櫛を収納し、奥側に、櫛に比べて外径が大きいドライヤーを収納できるので、客室全体の住居性をより向上できる。
また、例えば、洗面台５の前に椅子を設置し、洗面台５に向かってこの椅子に座った場合、引き出し５３の手前側の深さが浅いので、引き出し５３に膝が当たることを防止できる。
【００６５】
（９）カウンターテーブル２２は、テーブル天板２２１、および幕板２２２とを有し、このテーブル天板２２１の上面を洗面台天板５１の上面と略同一平面上に形成し、この幕板２２２を洗面台５の引き出し５３を閉めた状態の前面板５３４と略同一平面上に形成し、この幕板２２２の略鉛直方向の巾を前面板５３４の略鉛直方向の巾と略同一とした。
よって、カウンターテーブル２２と洗面台５とで形態の一体性を持たせることができるので、居室全体に秩序を与えることが可能となり、居室を広く感じさせることができ、客室全体の住居性をより向上できる。
【００６６】
（１０）テーブル天板２２１の下方に、冷蔵庫２００を収容する冷蔵庫収容ケース２３が設け、この冷蔵庫収容ケース２３には、開閉可能な冷蔵庫収容扉２３１を設け、カウンターテーブル２２の幕板２２２に冷蔵庫２００の電源スイッチ２０１を設けた。
よって、冷蔵庫２００を冷蔵庫収容ケース２３に収容し、冷蔵庫収容扉２３１を閉めることで、居室２に響く冷蔵庫２００のモータ音を抑制することができる。また、さらに、冷蔵庫２００のモータ音が気になる場合は、カウンターテーブル２２の幕板２２２に冷蔵庫２００の電源スイッチ２０１を設けたので、冷蔵庫収容扉２３１を開けることなく、冷蔵庫２００の電源を落とすことができるので、客室１全体の住居性をより向上できる。
さらに、冷蔵庫２００を冷蔵庫収容ケース２３に収容して冷蔵庫収容扉２３１を閉めることで、冷蔵庫のデザインに関わらず、居室全体のデザインの統一感を維持できる。
【００６７】
（１１）浴室３とベッド２１を客室１の長手方向に沿って、並べて配置し、浴室３とベッド２１の間には、浴室３の短辺方向に沿って、化粧壁７を形成し、この化粧壁７に浴室３の長辺方向の面から突出した突出部分７１を形成し、この突出部分７１の浴室３側の面に、照明装置７１１を設置した。
よって、ベッド２１の巾が浴室３の短辺方向の巾より大きい場合でも、突出部分７１により、ベッド２１が客室１の入口から見えないようにできる。また、この突出部分７１に照明装置７１１を設置したので、浴室３の長辺方向の面から突出していても不自然さを感じさせないとともに、客室１の入口近傍を照らすことができるので、客室全体の住居性をより向上できる。
【００６８】
（１２）化粧壁７のベッド２１側の面に、凹部７１２を形成したので、化粧壁７の表面に変化を与え、デザイン性を向上できるとともに、宿泊客が就寝時に物を裁置するスペースを確保できるので、客室全体の住居性をより向上できる。
【００６９】
（１３）窓１１の側縁に接した化粧壁ユニット２７とを設け、この化粧壁ユニット２７は、クローゼット２７１、外壁１０ｃの少なくとも一部を覆う化粧パネル２７２、および窓１１の客室１内部側の面を覆う引き込み可能な遮光パネル２７０が引き込まれて収容される遮光パネル収容部２７３とを一体的に形成した。
よって、居室２全体のデザインの統一感を損なうことなく、クローゼット２７１および遮光パネル収容部２７３を設けることができるので、客室全体の住居性をより向上できる。
【００７０】
＜第２実施形態＞
以下の第２実施形態の説明にあたって、第１実施形態と同一構成要件については同一符号を付し、その説明を省略もしくは簡略化する。
図７は、本発明の第２実施形態に係る宿泊施設の客室１ａの平面図である。
【００７１】
第２実施形態では、客室１ａが、ダブルベッドが配置されたダブルルームである点、および浴室３の向きが、第１実施形態と異なる。
【００７２】
客室１ａには、ベッド２１ａが配置されている。
この客室１ａの好ましい大きさは、戸境壁１０ｂおよび１０ｄの通り芯間Ｘ２が３８００ｍｍ〜４２００ｍｍであり、外壁１０ａおよび１０ｃの通り芯間Ｙ２が４６５０ｍｍ〜５０００ｍｍである。すなわち、客室１ａは、床面積が１７．６７ｍ２乃至２１ｍ２で形成される。
【００７３】
ベッド２１ａは、客室１ａの長手方向に延びる戸境壁１０ｂに沿って、浴室３と並べて配置されている。ベッド２１ａは、ダブルベッドである。ベッド２１ａは、短辺が浴室３に面し、長辺が戸境壁１０ｂに面するように配置されている。
このベッド２１ａの好ましい寸法は、短辺方向の寸法が１６００ｍｍであり、長辺方向の寸法が１９００ｍｍ〜２０００ｍｍである。
浴室３は、戸境壁１０ｂ側に浴槽が配置され、通路６側に洗い場が配置されている。
【００７４】
＜第３実施形態＞
以下の第３実施形態の説明にあたって、第１実施形態と同一構成要件については同一符号を付し、その説明を省略もしくは簡略化する。
図８は、本発明の第３実施形態に係る宿泊施設の客室１ｂの平面図である。
【００７５】
第３実施形態では、客室１ｂが、ツインルームである点、および浴室３の向きが、第１実施形態と異なる。
【００７６】
客室１ｂには、ベッド２１ｂが２つ配置されている。
この客室１ｂの好ましい大きさは、戸境壁１０ｂおよび１０ｄの通り芯間Ｘ３が４０００ｍｍ〜５０００ｍｍであり、外壁１０ａおよび１０ｃの通り芯間Ｙ３が４６５０ｍｍ〜５０００ｍｍである。すなわち、客室１ｂは、床面積が１８．６ｍ２乃至２５ｍ２で形成される。
【００７７】
２つのベッド２１ｂは、客室１ｂの長手方向に延びる戸境壁１０ｂに沿って、浴室３と並べて配置されている。ベッド２１ｂは、シングルベッドである。２つのベッド２１ｂは、長辺が浴室３に面し、短辺が戸境壁１０ｂに面するように配置されている。
このベッド２１ｂの好ましい寸法は、短辺方向の寸法が１２００ｍｍであり、長辺方向の寸法が１９００ｍｍ〜２０００ｍｍである。
浴室３は、戸境壁１０ｂ側に浴槽が配置され、通路６側に洗い場が配置されている。
【００７８】
なお、本発明は前記実施形態に限定されるものではなく、本発明の目的を達成できる範囲での変形、改良等は本発明に含まれるものである。
【図面の簡単な説明】
【００７９】
【図１】本発明の第１実施形態に係る宿泊施設の客室の平面図である。
【図２】本発明の第１実施形態に係るトイレの斜視図である。
【図３】本発明の第１実施形態に係るカウンターテーブルおよび洗面台の斜視図である。
【図４】本発明の第１実施形態に係る引き出しの断面図である。
【図５】本発明の第１実施形態に係る化粧壁の斜視図である。
【図６】本発明の第１実施形態に係る化粧壁ユニットの斜視図である。
【図７】本発明の第２実施形態に係る宿泊施設の客室の平面図である。
【図８】本発明の第３実施形態に係る宿泊施設の客室の平面図である。
【符号の説明】
【００８０】
１、１ａ、１ｂ  客室
２  居室
３  浴室
４  トイレ
５  洗面台
６  通路
７  化粧壁
１０ａ、１０ｃ  外壁
１０ｂ、１０ｄ  戸境壁
１１  窓
１５  入口片開き戸
２１、２１ａ、２１ｂ  ベッド
２２  カウンターテーブル
２３  冷蔵庫収容ケース
２４  開放空間
２６  居室の床
２７  化粧壁ユニット
３５  浴室片開き戸
４１  間仕切り壁
４２  便座
４５  引き戸
５１  洗面台天板
５２  洗面器
６６  通路の床
７１  突出部分
２００  冷蔵庫
２２１  テーブル天板
２２２  幕板
２２６  カウンターテーブル照明装置
２３１  冷蔵庫収容扉
２７０  遮光パネル
２７１  クローゼット
２７２  化粧パネル
２７３  遮光パネル収容部
４１１  採光壁
５３１  底板
５３１ａ  第１底板
５３１ｂ  第２底板
５３１ｃ  塞ぎ板
５３２  側板
５３３  背板
５３４  前面板
７１１  照明装置
７１２  凹部
【図１】
2008050792.tif 000003
【図２】
2008050792.tif 000004
【図３】
2008050792.tif 000005
【図４】
2008050792.tif 000006
【図５】
2008050792.tif 000007
【図６】
2008050792.tif 000008
【図７】
2008050792.tif 000009
【図８】
2008050792.tif 000010